(57)【要約】【課題】真正の二次元コード印刷物をその偽造品から区別することができる印刷物を提供すること。【解決手段】基材シート上に二次元コードを印刷して成る印刷物であって、この二次元コードの少なくとも一部に磁気情報を記録する。コピーによって二次元コードを複写することはできるが、磁気情報を複写することはできないから、二次元コードに記録された磁気情報を読み取ることにより、真正な印刷物と、コピー等による偽造品とを区別することが可能となる。【選択図】図１
2017071069.tif 000002
【特許請求の範囲】
【請求項１】
基材シート上に二次元コードを印刷して成る印刷物において、
この二次元コードの少なくとも一部に磁気情報が記録されていることを特徴とする二次元コード印刷物。
【請求項２】
二次元コードがＱＲコード（登録商標）であることを特徴とする請求項１に記載の二次元コード印刷物。
【請求項３】
ＱＲコード（登録商標）のタイミングパターンに磁気情報が記録されていることを特徴とする請求項２に記載の二次元コード印刷物。
【請求項４】
ＱＲコード（登録商標）の位置検出パターンに磁気情報が記録されていることを特徴とする請求項２又は３に記載の二次元コード印刷物。
【発明の詳細な説明】
【技術分野】
【０００１】
本発明は二次元コードを印刷した印刷物に関する。二次元コードとしては、その代表例としてＱＲコード（登録商標）を例示できる。
【背景技術】
【０００２】
前述のように、ＱＲコード（登録商標）はデンソーウエーブ社の登録商標であり、デンソーウエーブ社が開発したものである（特許文献１，２）。しかしながら、このＱＲコード（登録商標）は世界的に広く使用されており、ＩＳＯでその国際規格が定められている。
【０００３】
このＱＲコード（登録商標）は画素を二次元的に配列して数字や文字等の情報を表示したもので、肉眼によってその情報を読み取ることはできないが、光学機器を使用してＱＲコード（登録商標）を読み取り、ソフトウエアで解析することにより、その情報を読み取ることができる。
【０００４】
このＱＲコード（登録商標）は、その情報として、例えば、ウエブサイトのＵＲＬを表示して用いられている。このようにウエブサイトのＵＲＬを表示した場合には、スマートホン等によってＱＲコード（登録商標）を読み取ることにより、そのウエブサイトにつなぐことができる。また、このほか、鉄道の乗車券、各種イベントの入場券に用いられることもある。
【０００５】
ＱＲコード（登録商標）は、その情報を肉眼で認識することができないから、このＱＲコード（登録商標）を印刷表示した印刷物の真否を判定するセキュリティマークとして利用することができる。例えば、前述の乗車券や入場券では、正規のＱＲコード（登録商標）が印刷されていない場合には不正と判断している。
【０００６】
しかしながら、ＱＲコード（登録商標）はコピー機によって簡単に複製できるから、ＱＲコード（登録商標）の印刷された印刷物をコピーした場合、あるいはこのコピーを貼着したものを偽造と認識することは困難である。
【先行技術文献】
【特許文献】
【０００７】
【特許文献１】特許第２９３８３３８号公報
【特許文献２】特許第２９０７０４８号公報
【発明の概要】
【発明が解決しようとする課題】
【０００８】
そこで、本発明は、真正の二次元コード印刷物をその偽造品から区別することができる印刷物を提供することを目的とする。
【課題を解決するための手段】
【０００９】
すなわち、請求項１に記載の発明は、基材シート上に二次元コードを印刷して成る印刷物において、
この二次元コードの少なくとも一部に磁気情報が記録されていることを特徴とする二次元コード印刷物である。
【００１０】
次に、請求項２に記載の発明は、二次元コードがＱＲコード（登録商標）であることを特徴とする請求項１に記載の二次元コード印刷物である。
【００１１】
また、請求項３に記載の発明は、ＱＲコード（登録商標）のタイミングパターンに磁気情報が記録されていることを特徴とする請求項２に記載の二次元コード印刷物である。
【００１２】
また、請求項４に記載の発明は、ＱＲコード（登録商標）の位置検出パターンに磁気情報が記録されていることを特徴とする請求項２又は３に記載の二次元コード印刷物である。
【発明の効果】
【００１３】
本発明の印刷物は、その印刷画像として二次元コードを有している。そして、この二次元コードの少なくとも一部に磁気情報が記録されている。コピーによって二次元コードを複写することはできるが、磁気情報を複写することはできないから、二次元コードに記録された磁気情報を読み取ることにより、真正な印刷物と、コピー等による偽造品とを区別することが可能となる。
【図面の簡単な説明】
【００１４】
【図１】図１は具体例に係り、図１（ａ）はその平面図、図１（ｂ）は断面説明図である。
【図２】図２は二次元コードの例を示す説明図である。
【図３】図２は二次元コードの読み取り装置の例を示す説明用平面図である。
【発明を実施するための形態】
【００１５】
以下、ＱＲコード（登録商標）を印刷した定期乗車券を例として本発明を説明する。図１（ａ）はその平面図、図１（ｂ）は断面説明図である。
【００１６】
これらの図から分かるように、この定期乗車券は、基材シート上にＱＲコード（登録商標）を含む各種情報を印刷したものである。
【００１７】
ＱＲコード（登録商標）は、図２に示すように、正方形の形状を有するもので、データ画像のほかに、管理用の各種機能パターンを表示している。例えば、位置検出パターン、位置検出パターンの分離パターン、タイミングパターン、位置合わせパターンである。
【００１８】
データ画像は、例えば、ウエブサイトのＵＲＬを表示したり、乗車券や入場券の内容を表示するものである。このデータ画像は、多数の画素を配列して構成されており、それぞれの画素の濃淡や色彩によってその情報を表現している。
【００１９】
また、位置検出パターンはＱＲコード（登録商標）が存在する位置及びその方向を示す機能を有しており、正方形状ＱＲコード（登録商標）の４個の隅部のうち３個の隅部に配置されている。そして、この位置検出パターンを、一辺が３画素の高濃度の正方形と、その周囲を囲み、一辺が７画素の高濃度の正方形状枠とで構成して、その他の情報（例えば、データ画素やタイミングパターン）と区別している。
【００２０】
また、分離パターンは、位置検出パターンの周囲に配置した１画素幅の低濃度の線状パターンであり、位置検出パターンをデータ画像から区別する機能を有している。
【００２１】
また、タイミングパターンは、高濃度画素と低濃度画素とを交互に配列した直線を水平方向又は垂直方向に配置したもので、ＱＲコード（登録商標）の画素数を示している。
【００２２】
また、位置合わせパターンは、ＱＲコード（登録商標）のバージョンに応じて定められた位置に配置されたものである。この位置合わせパターンは高濃度の１画素と、その周囲を囲み、一辺が５画素の高濃度の正方形状枠とで構成して、データ画像の位置の検索の補助の機能を有する。
【００２３】
そして、本発明の印刷物においては、このＱＲコード（登録商標）の一部又は全部が磁気記録できる材料で構成されている必要がある。このような材料としては、磁気インキが例示できる。
【００２４】
磁気インキは、着磁可能な硬磁性体を粉末状とし、適当なバインダー及び溶剤と混合してインキ化することで製造することができる。硬磁性体としては、例えば、Ｆｅ−Ｍｎ−Ｓｉ系硬磁性体、Ｆｅ−Ｃｏ−Ｖ系硬磁性体、Ｆｅ−Ｃｏ−Ｎｉ系硬磁性体、Ｆｅ−Ｎｉ系硬磁性体、Ｆｅ−Ｃｒ−Ｃｏ系硬磁性体、Ｃｕ−Ｎｉ−Ｆｅ系硬磁性体、Ｃｕ−Ｎｉ−Ｃｏ系硬磁性体、Ｐｔ−Ｃｏ系硬磁性体あるいはステンレス等を例示できる。
【００２５】
そして、この磁気インキを使用してＱＲコード（登録商標）の一部又は全部の高濃度画素を印刷し、得られた磁気インキ被膜を磁化することにより、磁気情報を記録することができる。
【００２６】
なお、前述のように、ＱＲコード（登録商標）の高濃度画素の一部を磁気インキで印刷することもできるが、ＱＲコード（登録商標）の全体を磁気インキで印刷してもよい。また、こうして印刷された磁気インキ被膜の一部を磁化することにより、磁気情報を記録してもよいし、ＱＲコード（登録商標）の全体を磁化して、その全体で磁気情報を記録してもよい。
【００２７】
前述のように、タイミングパターンは、高濃度画素と低濃度画素とを交互に配列した直線状の構成されているため、このタイミングパターンの高濃度画素を磁化することにより、磁化された高濃度画素と磁化されていない低濃度画素とが交互に配列された特有の磁気パターンを構成する。
【００２８】
また、位置検出パターンは、一辺が３画素の高濃度の正方形と、一辺が７画素の高濃度の正方形状枠とで構成されているため、この位置検出パターンの高濃度画素を磁化することにより、特有の磁気パターンを構成することができる。
【００２９】
なお、このようにＱＲコード（登録商標）の一部又は全部を磁化するためには、磁気ヘッドを使用すればよい。
【００３０】
次に、こうしてＱＲコード（登録商標）に磁気情報を記録した印刷物は、図３に示すように、磁気リーダとＱＲコード（登録商標）読み取りカメラとを備える読み取り装置によって、ＱＲコード（登録商標）の情報と磁気情報とを読み取ることができる。この読み取り装置は、定期乗車券等の印刷物を搬送するベルトを備えており、この搬送ベルトによって印刷物を読み取り装置内部に搬入し、それぞれの情報を読み取った後、印刷物を搬出する。そして、図示しないコンピュータによって、ＱＲ（登録商標）コードの情報と磁気情報とを照合し、この印刷物が真正であるか否かを判断することができる。
【図１】
2017071069.tif 000003
【図２】
2017071069.tif 000004
【図３】
2017071069.tif 000005